(57)【特許請求の範囲】
【請求項１】
主面に少なくとも文字で第１の表示内容が表されている第１の光出射パターンが形成された導光板と、前記導光板の端部から光を入射して前記光を前記第１の光出射パターンから前方に出射させて前記第１の表示内容を表示する第１の発光素子と、を有する第１の表示部と、
前記導光板の背面側に配置され、前記導光板を介して第２の光出射パターンによる第２の表示内容を表示する第２の発光素子を有する第２の表示部と、を備え、
前記第１の発光素子及び前記第２の発光素子は、同一基板上に実装され、
前記導光板の端部は、前記第１の発光素子から出射された光を反射して前記導光板内に導く傾斜面を備え、
前記第１の表示部及び前記第２の表示部は、正面視において、前記第１の光出射パターンが形成された領域と前記第２の光出射パターンの領域とが重なるように構成され、前記第１の表示内容及び前記第２の表示内容が切り替えて表示される自動販売機用表示装置。
【請求項２】
前記第２の表示部は、前記第２の光出射パターンに対応して光透過部が形成されたフィルムを備え、前記第２の発光素子は、前記フィルムに前記光透過部を透過する光を入射する、請求項１に記載の自動販売機用表示装置。
【発明の詳細な説明】
【技術分野】
【０００１】
本発明は、自動販売機用表示装置に関する。
【背景技術】
【０００２】
従来、自動販売機用表示装置として、金額等の表示内容が可変の７セグメント表示部と、「販売中」、「釣り切れ」等の表示内容が固定の複数のメッセージ表示部とを備えた金額表示装置が提案されている（例えば、特許文献１参照）。
【０００３】
この金額表示装置は、略箱型状の装置本体を有し、装置本体の前面の表示面の異なる領域に７セグメント表示部及び複数のメッセージ表示部が設けられている。
【先行技術文献】
【特許文献】
【０００４】
【特許文献１】特開２００６−１１９３５７号公報
【発明の概要】
【発明が解決しようとする課題】
【０００５】
従来の金額表示装置は、各表示部がそれぞれ表示面の異なる領域に設けられているため、金額表示装置の大きさの制約により、１つの表示内容の占めることができる面積が小さくなり、視認性が低下するという問題がある。
【０００６】
したがって、本発明の目的は、任意の情報を表示することができるディスプレイを用いなくても表示面に多くの情報を表示することができ、かつ、視認性の向上を図ることができる自動販売機用表示装置を提供することにある。
【課題を解決するための手段】
【０００７】
［１］主面に少なくとも文字で第１の表示内容が表されている第１の光出射パターンが形成された導光板と、前記導光板の端部から光を入射して前記光を前記第１の光出射パターンから前方に出射させて前記第１の表示内容を表示する第１の発光素子と、を有する第１の表示部と、
前記導光板の背面側に配置され、前記導光板を介して第２の光出射パターンによる第２の表示内容を表示する第２の発光素子を有する第２の表示部と、を備え、
前記第１の発光素子及び前記第２の発光素子は、同一基板上に実装され、
前記導光板の端部は、前記第１の発光素子から出射された光を反射して前記導光板内に導く傾斜面を備え、
前記第１の表示部及び前記第２の表示部は、正面視において、前記第１の光出射パターンが形成された領域と前記第２の光出射パターンの領域とが重なるように構成され、前記第１の表示内容及び前記第２の表示内容が切り替えて表示される自動販売機用表示装置。
［２］前記第２の表示部は、前記第２の光出射パターンに対応して光透過部が形成されたフィルムを備え、前記第２の発光素子は、前記フィルムに前記光透過部を透過する光を入射する、［１］に記載の自動販売機用表示装置。
【図面の簡単な説明】
【０００８】
【図１】図１は、本発明の第１の実施の形態に係る自動販売機の概略の構成例を示す正面図である。
【図２】図２（ａ）、（ｂ）は、金額表示装置の表示例を示す正面図である。
【図３】図３は、金額表示装置の内部構造を示す断面図である。
【図４】図４は、金額表示装置の構成部品の分解斜視図である。
【図５】図５は、金額表示装置の動作の一例を示す要部拡大断面図である。
【発明を実施するための形態】
【０００９】
以下、本発明の実施の形態について図面を参照して説明する。なお、各図中、実質的に同一の機能を有する構成要素については、同一の符号を付してその重複した説明を省略する。なお、以下の実施の形態では、自動販売機用表示装置の一例として金額表示装置を挙げて説明する。
【００１０】
図１は、本発明の実施の形態に係る自動販売機の概略の構成例を示す正面図である。
【００１１】
この自動販売機１は、図１に示すように、例えば、各種の飲料を販売するものであり、上下方向に長い直方体型の筐体により形成された販売機本体２と、自動販売機１内を制御する図示しない主制御部とを備える。
【００１２】
販売機本体２は、前方に開口する箱体２ａと、箱体２ａの前方の開口部を開閉する扉体２ｂとを備える。この扉体２ｂの前面上部は、前面パネル３を備える。この前面パネル３は、例えば、透明なアクリル板等の樹脂材料から形成される。ここで、前面側とは、自動販売機１において、正面側をいう。背面側とは、前面側と反対の面側をいう。
【００１３】
扉体２ｂの前面下部には、紙幣を挿入・排出する紙幣入出口４と、硬貨を投入する硬貨投入口５と、紙幣又は硬貨を返却する返却レバー６とが設けられている。
【００１４】
扉体２ｂの前面下部には、更に、釣銭切れ表示や挿入された紙幣又は投入された硬貨の金額の表示を行う金額表示装置１００と、釣銭を返却する釣銭返却口８と、商品を取り出す商品取出口９と、扉体２ｂの開閉をロックするドアロック１０とが設けられている。なお、図１中、符号１１、１２は、それぞれ広告スペース、冷温表示部である。
【００１５】
前面パネル３の背面側には、金属からなる板材により形成された背面パネル１３が配置されている。前面パネル３と背面パネル１３との間に形成された空間は、商品見本展示室とされている。この商品見本展示室には、下方側及び前方側に開口した展示筐体による商品見本展示台１４が上段、中段及び下段の三段に設置されている。
【００１６】
商品見本展示台１４には、展示用物品である複数（本実施の形態では、３０個）の商品見本１５が三段に陳列されている。この商品見本１５に対応して上段、中段及び下段のそれぞれには、複数（本実施の形態では、１０個）の選択ボタンを有する選択スイッチ装置２０が配置されている。各選択スイッチ装置２０は、前面パネル３の前面側に取り付けられている。
【００１７】
主制御部は、選択スイッチ装置２０、金額表示装置１００等を制御するとともに、商品の販売制御等を行う。
【００１８】
（金額表示装置の構成）
図２（ａ）、（ｂ）は、金額表示装置１００の異なる表示例を示す正面図である。図３は、金額表示装置１００の内部構造を示す断面図である。図４は、金額表示装置１００の構成部品の分解斜視図である。
【００１９】
金額表示装置１００は、第１の表示部２００と、第１の表示部２００の背面側に配置された第２の表示部３００との二層構造を有し、第１及び第２の表示部２００、３００を保持ケース１１０及びレンズ１３０で挟持してユニット化されている。図３及び図４中の符号１４０は、金額表示装置１００を扉体２ｂに取り付ける際に、扉体２ｂの裏面とレンズ１３０との間に介在させて防水機能を果たすためのパッキンである。
【００２０】
第１の表示部２００は、基板３１０上に実装された複数（例えば３つ）の第１の発光素子２５０と、コリメートレンズ２２０と、導光板２３０と、導光板２３０の長手方向の端部の反射面２３３及び端面２３４を覆う第１及び第２の遮光プレート２６１、２６２とを備えている。
【００２１】
第２の表示部３００は、基板３１０と、基板３１０上に実装された複数の第２の発光素子３５０と、リフレクトケース３２０と、光を透光する透光部３３１及び光を遮光する遮光部３３２を有する印刷シート３３０とを備えている。
【００２２】
次に、第１及び第２の表示部２００、３００の構成部品の詳細について説明する。
【００２３】
第１及び第２の発光素子２５０、３５０は、例えば、発光ダイオードが用いられる。なお、第１及び第２の発光素子２５０、３５０は、発光ダイオードに限られず、有機ＥＬ（Electro Luminescence）素子、無機ＥＬ素子等を用いてもよい。
【００２４】
（導光板の構成）
導光板２３０は、光出射側に設けられた第１の主面２３１と、光出射側と反対側に設けられた第２の主面２３２と、第１及び第２の主面２３１、２３２に対して４５°に傾斜した反射面２３３と、反射面２３３の反対側に設けられた端面２３４と、幅方向に設けられた一対の側面２３５、２３６とを備えた略直方体状を有する。反射面２３３は、光が入射する端部の一例である。導光板２３０は、第２の主面２３２に第１の出射パターン２４０が形成されている。導光板２３０は、例えば、樹脂、ガラス材等から形成されている。
【００２５】
第１の出射パターン２４０は、反射面２３３で反射し、第１及び第２の主面２３１、２３２で全反射して入射した光を散乱させ、その散乱光を第１の主面２３１から外部に出射するように第２の主面２３２に凹凸加工が施されて形成されている。第１の出射パターン２４０は、例えば、「販売中」等のメッセージが凹凸加工によって表されている。なお、第１の出射パターン２４０が表示するものは、メッセージに限られず、図形や記号等であってもよい。
【００２６】
なお、第１の出射パターン２４０は、第１の主面２３１にのみ形成してもよく、第１及び第２の主面２３１、２３２の両方に形成してもよい。
【００２７】
コリメートレンズ２２０は、３つの第１の発光素子２５０と導光板２３０の間に設けられ、略板状を有し、３つの第１の発光素子２５０から出射された光を平行光に整形して、導光板２３０の反射面２３３に入射するものである。これにより、第１の発光素子２５０から光が効率よく導光板２３０の反射面２３３に入射する。
【００２８】
第１及び第２の遮光プレート２６１、２６２は、反射面２３３及び端面２３４のそれぞれの上に設けられ、反射面２３３及び端面２３４のそれぞれ近傍から光が漏れるのを防ぐ。
【００２９】
レンズ１３０は、略直方体状の表示面となる凸部１３１と、凸部１３１の外周に形成された段差部１３２とを有する。段差部１３２の幅及び高さは、パッキン１４０の幅及び厚さとほぼ等しくさせパッキン１４０の防水機能を高めている。
【００３０】
印刷シート３３０は、第２の出射パターン３４０の形状に対応する透光部３３１と、その他の部分において入射光を遮光する遮光部３３２とを有する。遮光部３３２は、例えば、印刷シート３３０上に黒インクによって形成される。
【００３１】
第２の出射パターン３４０には、７セグメントＬＥＤ発光部３４１、単位記号表示部３４２、お札中止表示部３４３、釣り切れ表示部３４４、１００円切れ表示部３４５及び１０円切れ表示部３４６が含まれる。
【００３２】
第１及び第２の表示部２００、３００は、正面視において、第１の出射パターン２４０が形成された領域と、第２の出射パターン３４０が形成された領域とが重なるように構成されている。これにより、任意の情報を表示することができるディスプレイを用いなくても表示面に多くの情報を表示することができ、かつ、視認性の向上を図ることができる。
【００３３】
７セグメントＬＥＤ発光部３４１は、例えば、５つのセグメント表示と４つの小数点表示により５桁の数字で商品価格等を表示する。単位記号表示部３４２は、例えば、７セグメントＬＥＤ発光部３４１と組み合わせて、箱体２ａの内部に配置された各種の飲料の収容部（図示せず）の温度、各種の飲料が商品取出し口９に出るまでの時間又は投入金額等を表示する。お札中止表示部３４３は、例えば、自動販売機１が紙幣の取り扱いを中止するときに「お札中止」のメッセージを表示する。釣り切れ表示部３４４、１００円切れ表示部３４５及び１０円切れ表示部３４６は、例えば、自動販売機１で釣り銭切れが生じたときにこれらの表示部を組み合わせて使用することで所定の硬貨の「釣り切れ」のメッセージを表示する。
【００３４】
リフレクトケース３２０には、印刷シート３３０上に形成された、７セグメントＬＥＤ発光部３４１、単位記号表示部３４２、お札中止表示部３４３、釣銭切れ表示部３４４、１００円切れ表示部３４５及び１０円切れ表示部３４６に対応した複数の開口部３２１が形成されている。リフレクトケース３２０の複数の開口部３２１の側面は、第２の発光素子３５０からの出射光をリフレクトケース３２０の表面側に反射するように傾斜して形成されていることが好ましい。
【００３５】
リフレクトケース３２０には、印刷シート３３０上に形成された７セグメントＬＥＤ発光部３４１及び単位記号表示部３４２に対応する複数の開口部３２１の近傍に溝３２２が形成されている。溝３２２は、開口を有し、拡散シート１２０が嵌着される。なお、拡散シート１２０は、印刷シート３３０上に形成された７セグメントＬＥＤ発光部３４１及び単位記号表示部３４２に対応する複数の開口部３２１の近傍に貼着されてもよい。
【００３６】
保持ケース１１０は、長手方向の両端部に複数の突起部１１３を有する。リフレクトケース３２０は、保持ケース１１０の複数の突起部１１３に対応する複数の嵌合部３２３を有する。
【００３７】
基板３１０は、保持ケース１１０の突起部１１３とリフレクトケース３２０の嵌合部３２３とが嵌合することによって、リフレクトケース３２０及び保持ケース１１０で挟持される。
【００３８】
基板３１０は、リフレクトケース３２０に形成された複数の開口部３２１にそれぞれ対応して１つ又は複数の第２の発光素子３５０が実装されている。また、基板３１０は、表面に電気的に接続する回路パターンが設けられ、回路パターンに第１及び第２の発光素子２５０、３５０、チップ抵抗等の電子部品等が接続されている。
【００３９】
複数の第２の発光素子３５０の周囲の開口部３２１の内周面や基板３１０の表面には、白色の印刷、塗装、又はシートの貼着による反射面としての白色層（図示せず）がそれぞれ設けられていてもよい。
【００４０】
（金額表示装置の動作）
次に、金額表示装置１００の動作の一例を、図５を参照して説明する。図５は、金額表示装置１００の動作の一例を説明するための要部拡大断面図である。
【００４１】
（１）第１の出射パターンを表示する場合
第１の出射パターン２４０は、例えば、自動販売機１が外部から操作されず、販売待機中のときに表示される。
【００４２】
主制御部の制御により、３つの第１の発光素子２５０に外部の電源部（図示せず）から所定の電圧が印加されると、３つの第１の発光素子２５０は、光を出射する。３つの第１の発光素子２５０から出射した光は、コリメートレンズ２２０に入射して平行光に整形され、導光板２３０の反射面２３３に入射する。反射面２３３に入射した入射光は、反射面２３３で反射し、第１及び第２の主面２３１、２３２で全反射しつつ端面２３４の方向に伝搬し、導光板２３０の第２の主面２３２に形成された第１の出射パターン２４０へ光が伝搬され、一部の光は、第１の出射パターン２４０で反射角を変えて（散乱）第１の主面２３１から外部に出射する。これにより、金額表示装置１００に第１の出射パターン２４０に対応する「販売中」等のメッセージが表示される。
【００４３】
（２）第２の出射パターンを表示する場合
第２の出射パターン３４０は、例えば、自動販売機１に現金が投入されたときに表示される。以下、自動販売機１に現金が投入されたときの動作を説明する。まず、紙幣入出口４又は硬貨投入口５に現金が投入される。
【００４４】
次に、主制御部の制御により、投入された現金の金額に応じたセグメント表示及び単位記号表示に対応する複数の第２の発光素子３５０に外部の電源部（図示せず）から所定の電圧が選択的に印加されると、所定の電圧が印加された複数の第２の発光素子３５０から光が出射する。複数の第２の発光素子３５０から出射した光の一部は、リフレクトケース３２０の開口部３２１内を通過して印刷シート３３０に直接入射し、また、一部は光が出射した開口部３２１の内壁面で反射した後に印刷シート３３０に入射する。
【００４５】
印刷シート３３０に入射した光は、一部は印刷シート３３０の透光部３３１を透過する。透光部３３１を透過した光は、導光板２３０を通って第１の主面２３１から外部に出射される。このとき、一部は導光板２３０の第２の主面２３２に形成された第１の出射パターン２４０で散乱して角度を変えて第１の主面２３１から外部に出射される。これにより、金額表示装置１００に第２の出射パターン３４０、例えば、金額等が表示される。
【００４６】
（本実施の形態の効果）
本実施の形態によれば、以下の効果を奏する。
（１）第１の表示部２００と、第２の表示部３００との二層構造なので、複数の出射パターンを切り替えることで表示面に多くの情報を表示することができる。
【００４７】
（２）同一の表示領域で複数の出射パターンを切り替えて表示することにより、表示する数字、文字、記号等を大きくすることが可能となり、視認性の向上を図ることができる。
【００４８】
［変形例］
なお、本発明の実施の形態は、上記各実施の形態に限定されるものではなく、本発明の要旨を変更しない範囲内で種々に変形、実施が可能である。
【００４９】
（変形例１）
例えば、導光板２３０の形状を直方体状として、反射面２３３を第１及び第２の主面２３１、２３２に直交する端面とし、この端面から他方の端面２３４の方向に向けて光を入射してもよい。この場合、他方の端面２３４からも光を入射してもよい。また、他方の端面２３４を４５°に傾斜した反射面とし、両方の反射面に光を入射してもよい。両方の端面又は両方の反射面から光を入射することにより、導光板が長手方向に長い場合でも光が導光板内に広く行き渡り、全面における発光むらを抑制することができる。
【００５０】
（変形例２）
第２の表示部３００の代わりに、例えば、液晶ディスプレイ、ＥＬディスプレイ又はＶＦＤ（Vacuum  Fluorescent Display）等を用いてもよい。
【００５１】
（変形例３）
第１の表示部として、異なる光出射パターンが形成された導光板を複数重ねてもよい。これにより、より多くの情報を表示することができる。
【００５２】
（変形例４）
第２の表示部３００の代わりに第１の表示部２００を用いてもよい。
【符号の説明】
【００５３】
１…自動販売機、２…販売機本体、２ａ…箱体、
２ｂ…扉体、３…前面パネル、４…紙幣入出口、５…硬貨投入口、６…返却レバー、
８…釣銭返却口、９…商品取出口、１０…ドアロック、１１…広告スペース、
１２…冷温表示部、１３…背面パネル、１４…商品見本展示台、１５…商品見本、
２０…選択スイッチ装置、２３…選択ボタン、１００…金額表示装置、
１１０…保持ケース、１１３…突起部、１２０…拡散シート、１３０…レンズ、
１３１…凸部、１３２…段差部、１４０…パッキン、２００…第１の表示部、
２２０…コリメートレンズ、２３０…導光板、２３１…第１の主面、
２３２…第２の主面、２３３…反射面、２３４…端面、２３５…側面、２３６…側面、
２４０…第１の出射パターン、２５０…第１の発光素子、２６１…第１の遮光プレート、
２６２…第２の遮光プレート、３００…第２の表示部、３１０…基板、
３２０…リフレクトケース、３２１…開口部、３２２…溝、３２３…嵌合部、
３３０…印刷シート、３３１…透光部、３３２…遮光部、３４０…第２の出射パターン、
３４１…７セグメントＬＥＤ発光部、３４２…単位記号表示部、
３４３…お札中止表示部、３４４…釣銭切れ表示部、３４５…１００円切れ表示部、
３４６…１０円切れ表示部、３５０…第２の発光素子
【図１】
0006551939.tif 000002
【図２】
0006551939.tif 000003
【図３】
0006551939.tif 000004
【図４】
0006551939.tif 000005
【図５】
0006551939.tif 000006